(57)【要約】【課題】  印刷の注文を受けてから完成させるまでの間に出力するカラープルーフの出力色の管理を容易に行うことが可能な色管理システム及びその色管理方法を提供すること。【解決手段】  カラープルーフの出力色を測定するための測色計（３ａ〜３ｃ）と、測色計により測定された測定値と、測定されたカラープルーフの出力された順番を識別するための順番情報とを対応させて記憶する記憶手段（１２）と、記憶手段に記憶された測定値に基づいて、カラープルーフの出力された順番毎の出力色の状況を示す情報を作成する情報作成手段（１３、１４）とを備えることを特徴とする。【選択図】      図１
2005339185.tif 000002
【特許請求の範囲】
【請求項１】
印刷の注文を受けてから完成させるまでの間に、順番に出力される複数のカラープルーフの出力色を管理するための色管理システムであって、
前記カラープルーフの出力色を測定する測定手段と、
前記測定手段により測定される前記カラープルーフの出力色の測定値と、前記測定されるカラープルーフの出力された順番を識別するための順番情報とを対応させて記憶する記憶手段と、
前記記憶手段に記憶された測定値に基づいて、前記カラープルーフの出力された順番毎の出力色の状況を示す情報を作成する情報作成手段とを備えることを特徴とする色管理システム。
【請求項２】
印刷の注文を受けてから完成させるまでの間に、順番に出力される複数のカラープルーフの出力色を管理するための色管理システムであって、
前記カラープルーフの出力色を測定する測定手段と、
前記測定手段により測定される前記カラープルーフの出力色の測定値と、前記測定されるカラープルーフの前記注文を識別するための注文情報及び出力された順番を識別するための順番情報とを対応させて記憶する記憶手段と、
１の注文を示す注文情報を受けて、前記記憶手段に記憶された前記１の注文に関する測定値を抽出し、前記抽出した測定値に基づいて、前記１の注文について前記カラープルーフの出力された順番毎の出力色の状況を示す情報を作成する情報作成手段とを備えることを特徴とする色管理システム。
【請求項３】
印刷の注文を受けてから完成させるまでの間に、順番に複数の拠点のいずれかで出力される複数のカラープルーフの出力色を管理するための色管理システムであって、
前記拠点毎に配置され、前記カラープルーフの出力色を測定する測定手段により測定される前記カラープルーフの出力色の測定値と、前記測定されるカラープルーフの前記注文を識別するための注文情報及び出力された順番を識別するための順番情報とを送信する測定値送信手段を有する複数の端末装置と、
前記複数の端末装置とネットワークを介して接続され、前記送信される測定値と順番情報とを対応させて記憶する記憶手段と、前記記憶手段に記憶された測定値に基づいて、前記カラープルーフの出力された順番毎の出力色の状況を示す情報を前記端末装置から閲覧可能に作成する情報作成手段と、を有する管理サーバと、を備えることを特徴とする色管理システム。
【請求項４】
印刷の注文を受けてから完成させるまでの間に、順番に複数の拠点のいずれかで出力される複数のカラープルーフの出力色を管理するための色管理システムであって、
前記拠点毎に配置され、前記カラープルーフの出力色を測定する測定手段により測定される前記カラープルーフの出力色の測定値と、前記測定されるカラープルーフの前記注文を識別するための注文情報及び出力された順番を識別するための順番情報とを送信する測定値送信手段を有する複数の端末装置と、
前記複数の端末装置とネットワークを介して接続され、前記送信される測定値と注文情報及び順番情報とを対応させて記憶する記憶手段と、１の注文を示す注文情報を受けて、前記記憶手段に記憶された前記１の注文に関する測定値を抽出し、前記抽出した測定値に基づいて、前記１の注文について前記カラープルーフの出力された順番毎の出力色の状況を示す情報を前記端末装置から閲覧可能に作成する情報作成手段と、を有する管理サーバと、を備えることを特徴とする色管理システム。
【請求項５】
前記出力色の状況は、濃度値、表色系の値、ドットゲイン値、または、トラッピング率のいずれかで示される請求項１乃至請求項４のいずれかに記載の色管理システム。
【請求項６】
前記カラープルーフには、１または複数の色を含むカラーパッチが付されて出力され、
前記カラープルーフの出力色の測定は、前記カラーパッチを測定して行う請求項１乃至請求項５のいずれかに記載の色管理システム。
【請求項７】
印刷の注文を受けてから完成させるまでの間に、順番に出力される複数のカラープルーフの出力色を管理するための色管理方法であって、
前記カラープルーフの出力色を測定する段階と、
前記測定される前記カラープルーフの出力色の測定値と、前記測定されるカラープルーフの出力された順番を識別するための順番情報とを対応させて記憶する段階と、
前記記憶された測定値に基づいて、前記カラープルーフの出力された順番毎の出力色の状況を示す情報を作成する段階とを含むことを特徴とする色管理方法。
【請求項８】
印刷の注文を受けてから完成させるまでの間に、順番に出力される複数のカラープルーフの出力色を管理するための色管理方法であって、
前記カラープルーフの出力色を測定する段階と、
前記測定される前記カラープルーフの出力色の測定値と、前記測定されるカラープルーフの前記注文を識別するための注文情報及び出力された順番を識別するための順番情報とを対応させて記憶する段階と、
１の注文を示す注文情報を受けて、前記記憶手段に記憶された前記１の注文に関する測定値を抽出する段階と、
前記抽出した測定値に基づいて、前記１の注文について前記カラープルーフの出力された順番毎の出力色の状況を示す情報を作成する段階とを含むことを特徴とする色管理方法。
【請求項９】
印刷の注文を受けてから完成させるまでの間に、順番に複数の拠点のいずれかで出力される複数のカラープルーフの出力色を管理するための色管理方法であって、
前記拠点毎に配置された複数の端末装置において、
前記カラープルーフの出力色を測定する段階と、前記測定される前記カラープルーフの出力色の測定値と、前記測定されるカラープルーフの前記注文を識別するための注文情報及び出力された順番を識別するための順番情報とを送信する段階と、
前記複数の端末装置とネットワークを介して接続された管理サーバにおいて、
前記送信される測定値と順番情報とを対応させて記憶する段階と、前記記憶された測定値に基づいて、前記カラープルーフの出力された順番毎の出力色の状況を示す情報を前記端末装置から閲覧可能に作成する段階と、を含むことを特徴とする色管理方法。
【請求項１０】
印刷の注文を受けてから完成させるまでの間に、順番に複数の拠点のいずれかで出力される複数のカラープルーフの出力色を管理するための色管理方法であって、
前記拠点毎に配置された複数の端末装置において、
前記カラープルーフの出力色を測定する段階と、前記測定される前記カラープルーフの出力色の測定値と、前記測定されるカラープルーフの前記注文を識別するための注文情報及び出力された順番を識別するための順番情報とを送信する段階と、
前記複数の端末装置とネットワークを介して接続された管理サーバにおいて、
前記送信される測定値と注文情報及び順番情報とを対応させて記憶する段階と、１の注文を示す注文情報を受けて、前記記憶手段に記憶された前記１の注文に関する測定値を抽出する段階と、前記抽出した測定値に基づいて、前記１の注文について前記カラープルーフの出力された順番毎の出力色の状況を示す情報を前記端末装置から閲覧可能に作成する段階と、を含むことを特徴とする色管理方法。
【発明の詳細な説明】
【技術分野】
【０００１】
本発明は、印刷の注文を受けてから完成させるまでの間に、順番に出力される複数のカラープルーフの出力色の管理を行うための色管理システム及び色管理方法に関するものである。
【背景技術】
【０００２】
従来、印刷工程における校正のプロセスでは、（１）作業現場内部ミスの確認、すなわち内校、（２）発注主、デザイナーへの仕上がり確認用の提出される外校、（３）印刷機の機長に対して、最終印刷物の見本として提供される印刷見本、の主として３つの用途に対し試し刷りであるカラープルーフが出力され、校正等に使用される。また、外校で行う校正は、順番に初校、二校、三校・・・と称される。
【０００３】
そして、このようなカラープルーフを用いて、原稿フィルムのレイアウトに間違いないか、色間違いないか、文字の誤りがないか等を検査し、印刷物の仕上がりを事前に確認するようにしている。
【０００４】
そのために出力装置から出力される出力物の色彩や濃度を一定にすることが望まれる。例えば、出力装置である印刷機やプリンタ等のカラーマネージメントを行うためのＩＣＣプロファイルを、受け付ける対象となる出力装置のカラーパッチの測色結果に基づいて提供し、また、その出力物の測色結果に基づいて診断情報を提供することで、対象の出力装置の色管理を行うものがある（例えば、特許文献１参照。）。
【０００５】
また、出力装置は、１台とは限らず複数台あり、また、その種類もＤＤＣＰ（Ｄｉｒｅｃｔ  Ｄｉｇｉｔａｌ  Ｃｏｌｏｒ  Ｐｒｏｏｆ）、電子写真プリンタ、インクジェットプリンタ、平台校正機などがある。したがって、上述のようにそれぞれの出力装置の色管理を行うが、さらに、出力装置から出力されるカラーパッチの測定結果を蓄積しておき、蓄積した測色結果を加工または分析して、出力装置の色の出力レベル、出力装置間の出力色の比較、出力色の経時的比較などの情報を提供するものがある（例えば、特許文献２参照。）。
【０００６】
【特許文献１】特開２００３−４６７９４号公報
【特許文献２】特開２００３−３０４３６５号公報
【発明の開示】
【発明が解決しようとする課題】
【０００７】
一方、カラープルーフは、印刷の注文を受けてから印刷を完成させるまでの間に、順番に複数出力されて上記校正等に用いられる。ところが、カラープルーフは、必ずしも同じ出力装置で作成されるとは限らないし、同じ出力装置であっても同時に出力されるものではないので、それぞれの出力装置が特許文献１に記載のように色管理されていたとしても、色の許容範囲の上限下限、装置の違い、経時変化などによりそれぞれのカラープルーフの出力色が異なり、その違いが問題となる場合がある。
【０００８】
また、特許文献２に記載の出力色についての情報は、出力装置に関するものであって、出力したカラープルーフに関するものではない。したがって、色の違いが問題となった場合に、それぞれのカラープルーフの出力色を比較しようとしても、容易にできるものではない。また、色の違いのような問題を発生しないように過去のカラープルーフの出力色の状態を確認しようとしても、容易にできるものではない。例えば、カラープルーフを作成した出力装置、日時等を調査して、上述の提供される情報から、その出力装置、日時の出力色を読み取らなければならなかった。
【０００９】
本発明は、上記事情に鑑みてなされたものであり、その目的とするところは、印刷の注文を受けてから完成させるまでの間に出力するカラープルーフの出力色の管理を容易に行うことが可能な色管理システム及びその色管理方法を提供することにある。
【課題を解決するための手段】
【００１０】
上記課題を解決するために、請求項１記載の発明は、印刷の注文を受けてから完成させるまでの間に、順番に出力される複数のカラープルーフの出力色を管理するための色管理システムであって、前記カラープルーフの出力色を測定する測定手段と、前記測定手段により測定される前記カラープルーフの出力色の測定値と、前記測定されるカラープルーフの出力された順番を識別するための順番情報とを対応させて記憶する記憶手段と、前記記憶手段に記憶された測定値に基づいて、前記カラープルーフの出力された順番毎の出力色の状況を示す情報を作成する情報作成手段とを備えることを特徴としている。
【００１１】
また、請求項２記載の発明は、印刷の注文を受けてから完成させるまでの間に、順番に出力される複数のカラープルーフの出力色を管理するための色管理システムであって、前記カラープルーフの出力色を測定する測定手段と、前記測定手段により測定される前記カラープルーフの出力色の測定値と、前記測定されるカラープルーフの前記注文を識別するための注文情報及び出力された順番を識別するための順番情報とを対応させて記憶する記憶手段と、１の注文を示す注文情報を受けて、前記記憶手段に記憶された前記１の注文に関する測定値を抽出し、前記抽出した測定値に基づいて、前記１の注文について前記カラープルーフの出力された順番毎の出力色の状況を示す情報を作成する情報作成手段とを備えることを特徴としている。
【００１２】
また、請求項３記載の発明は、印刷の注文を受けてから完成させるまでの間に、順番に複数の拠点のいずれかで出力される複数のカラープルーフの出力色を管理するための色管理システムであって、前記拠点毎に配置され、前記カラープルーフの出力色を測定する測定手段により測定される前記カラープルーフの出力色の測定値と、前記測定されるカラープルーフの前記注文を識別するための注文情報及び出力された順番を識別するための順番情報とを送信する測定値送信手段を有する複数の端末装置と、前記複数の端末装置とネットワークを介して接続され、前記送信される測定値と順番情報とを対応させて記憶する記憶手段と、前記記憶手段に記憶された測定値に基づいて、前記カラープルーフの出力された順番毎の出力色の状況を示す情報を前記端末装置から閲覧可能に作成する情報作成手段と、を有する管理サーバと、を備えることを特徴としている。
【００１３】
また、請求項４記載の発明は、印刷の注文を受けてから完成させるまでの間に、順番に複数の拠点のいずれかで出力される複数のカラープルーフの出力色を管理するための色管理システムであって、前記拠点毎に配置され、前記カラープルーフの出力色を測定する測定手段により測定される前記カラープルーフの出力色の測定値と、前記測定されるカラープルーフの前記注文を識別するための注文情報及び出力された順番を識別するための順番情報とを送信する測定値送信手段を有する複数の端末装置と、前記複数の端末装置とネットワークを介して接続され、前記送信される測定値と注文情報及び順番情報とを対応させて記憶する記憶手段と、１の注文を示す注文情報を受けて、前記記憶手段に記憶された前記１の注文に関する測定値を抽出し、前記抽出した測定値に基づいて、前記１の注文について前記カラープルーフの出力された順番毎の出力色の状況を示す情報を前記端末装置から閲覧可能に作成する情報作成手段と、を有する管理サーバと、を備えることを特徴としている。
【００１４】
また、請求項５記載の発明は、前記出力色の状況は、濃度値、表色系の値、ドットゲイン値、または、トラッピング率のいずれかで示されることを特徴としている。
【００１５】
また、請求項６記載の発明は、前記カラープルーフには、１または複数の色を含むカラーパッチが付されて出力され、前記カラープルーフの出力色の測定は、前記カラーパッチを測定して行うことを特徴としている。
【００１６】
また、請求項７記載の発明は、印刷の注文を受けてから完成させるまでの間に、順番に出力される複数のカラープルーフの出力色を管理するための色管理方法であって、前記カラープルーフの出力色を測定する段階と、前記測定される前記カラープルーフの出力色の測定値と、前記測定されるカラープルーフの出力された順番を識別するための順番情報とを対応させて記憶する段階と、前記記憶された測定値に基づいて、前記カラープルーフの出力された順番毎の出力色の状況を示す情報を作成する段階とを含むことを特徴としている。
【００１７】
また、請求項８記載の発明は、印刷の注文を受けてから完成させるまでの間に、順番に出力される複数のカラープルーフの出力色を管理するための色管理方法であって、前記カラープルーフの出力色を測定する段階と、前記測定される前記カラープルーフの出力色の測定値と、前記測定されるカラープルーフの前記注文を識別するための注文情報及び出力された順番を識別するための順番情報とを対応させて記憶する段階と、１の注文を示す注文情報を受けて、前記記憶手段に記憶された前記１の注文に関する測定値を抽出する段階と、前記抽出した測定値に基づいて、前記１の注文について前記カラープルーフの出力された順番毎の出力色の状況を示す情報を作成する段階とを含むことを特徴としている。
【００１８】
また、請求項９記載の発明は、印刷の注文を受けてから完成させるまでの間に、順番に複数の拠点のいずれかで出力される複数のカラープルーフの出力色を管理するための色管理方法であって、前記拠点毎に配置された複数の端末装置において、前記カラープルーフの出力色を測定する段階と、前記測定される前記カラープルーフの出力色の測定値と、前記測定されるカラープルーフの前記注文を識別するための注文情報及び出力された順番を識別するための順番情報とを送信する段階と、前記複数の端末装置とネットワークを介して接続された管理サーバにおいて、前記送信される測定値と順番情報とを対応させて記憶する段階と、前記記憶された測定値に基づいて、前記カラープルーフの出力された順番毎の出力色の状況を示す情報を前記端末装置から閲覧可能に作成する段階と、を含むことを特徴としている。
【００１９】
また、請求項１０記載の発明は、印刷の注文を受けてから完成させるまでの間に、順番に複数の拠点のいずれかで出力される複数のカラープルーフの出力色を管理するための色管理方法であって、前記拠点毎に配置された複数の端末装置において、前記カラープルーフの出力色を測定する段階と、前記測定される前記カラープルーフの出力色の測定値と、前記測定されるカラープルーフの前記注文を識別するための注文情報及び出力された順番を識別するための順番情報とを送信する段階と、前記複数の端末装置とネットワークを介して接続された管理サーバにおいて、前記送信される測定値と注文情報及び順番情報とを対応させて記憶する段階と、１の注文を示す注文情報を受けて、前記記憶手段に記憶された前記１の注文に関する測定値を抽出する段階と、前記抽出した測定値に基づいて、前記１の注文について前記カラープルーフの出力された順番毎の出力色の状況を示す情報を前記端末装置から閲覧可能に作成する段階と、を含むことを特徴としている。
【発明の効果】
【００２０】
請求項１記載の色管理システムによれば、カラープルーフの出力色の測定値とカラープルーフの出力された順番を識別するための順番情報とを対応させて記憶し、記憶された測定値に基づいて、カラープルーフの出力された順番毎の出力色の状況を示す情報を作成することにより、カラープルーフの出力色の管理を行い、また、各カラープルーフの出力色を比較することができる。
【００２１】
請求項２記載の色管理システムによれば、カラープルーフの出力色の測定値とカラープルーフの注文を識別するための注文情報及び出力された順番を識別するための順番情報とを対応させて記憶し、記憶された測定値に基づいて、１の注文についてカラープルーフの出力された順番毎の出力色の状況を示す情報を作成することにより、注文毎にカラープルーフの出力色の管理を行い、また、注文毎に各カラープルーフの出力色を比較することができる。
【００２２】
請求項３記載の色管理システムによれば、拠点毎に配置された複数の端末装置で、カラープルーフの出力色の測定値とカラープルーフの出力された順番を識別するための順番情報とを送信し、複数の端末装置とネットワークを介して接続された管理サーバで、送信された測定値と順番情報を対応させて記憶し、記憶された測定値に基づいて、カラープルーフの出力された順番毎の出力色の状況を示す情報を端末装置から閲覧可能に作成することにより、各拠点で出力されるカラープルーフの出力色の管理を行い、また、各カラープルーフの出力色を各拠点で比較することができる。
【００２３】
請求項４記載の色管理システムによれば、拠点毎に配置された複数の端末装置で、カラープルーフの出力色の測定値とカラープルーフの注文を識別するための注文情報及び出力された順番を識別するための順番情報とを送信し、複数の端末装置とネットワークを介して接続された管理サーバで、送信された測定値と注文情報及び順番情報を対応させて記憶し、記憶された測定値に基づいて、１の注文についてカラープルーフの出力された順番毎の出力色の状況を示す情報を端末装置から閲覧可能に作成することにより、注文毎に各拠点で出力されるカラープルーフの出力色の管理を行い、また、注文毎に各カラープルーフの出力色を各拠点で比較することができる。
【００２４】
請求項５記載の色管理システムによれば、出力色の状況を、濃度値、表色系の値、ドットゲイン値、または、トラッピング率のいずれかで示すので、出力色を容易に比較できる。
【００２５】
請求項６記載の色管理システムによれば、カラープルーフに付されたカラーパッチを測定するので、出力したカラープルーフの出力色を容易に測定することができる。
【００２６】
請求項７記載の色管理方法によれば、カラープルーフの出力色の測定値とカラープルーフの出力された順番を識別するための順番情報とを対応させて記憶し、記憶された測定値に基づいて、カラープルーフの出力された順番毎の出力色の状況を示す情報を作成することにより、カラープルーフの出力色の管理を行い、また、各カラープルーフの出力色を比較することができる。
【００２７】
請求項８記載の色管理方法によれば、カラープルーフの出力色の測定値とカラープルーフの注文を識別するための注文情報及び出力された順番を識別するための順番情報とを対応させて記憶し、記憶された測定値に基づいて、１の注文についてカラープルーフの出力された順番毎の出力色の状況を示す情報を作成することにより、注文毎にカラープルーフの出力色の管理を行い、また、注文毎に各カラープルーフの出力色を比較することができる。
【００２８】
請求項９記載の色管理方法によれば、拠点毎に配置された複数の端末装置で、カラープルーフの出力色の測定値とカラープルーフの出力された順番を識別するための順番情報とを送信し、複数の端末装置とネットワークを介して接続された管理サーバで、送信された測定値と順番情報を対応させて記憶し、記憶された測定値に基づいて、カラープルーフの出力された順番毎の出力色の状況を示す情報を端末装置から閲覧可能に作成することにより、各拠点で出力されるカラープルーフの出力色の管理を行い、また、各カラープルーフの出力色を各拠点で比較することができる。
【００２９】
請求項１０記載の色管理方法によれば、拠点毎に配置された複数の端末装置で、カラープルーフの出力色の測定値とカラープルーフの注文を識別するための注文情報及び出力された順番を識別するための順番情報とを送信し、複数の端末装置とネットワークを介して接続された管理サーバで、送信された測定値と注文情報及び順番情報を対応させて記憶し、記憶された測定値に基づいて、１の注文についてカラープルーフの出力された順番毎の出力色の状況を示す情報を端末装置から閲覧可能に作成することにより、注文毎に各拠点で出力されるカラープルーフの出力色の管理を行い、また、注文毎に各カラープルーフの出力色を各拠点で比較することができる。
【発明を実施するための最良の形態】
【００３０】
以下、本発明に係る色管理システム及びその色管理方法の好適な一実施形態について、図面を参照しながら具体的に説明する。
【００３１】
本発明の色管理システムは、印刷の注文を受けてから印刷を完成させるまでの間に試し刷りとして順番に出力する複数のカラープルーフの出力色の測定値を収集し、各注文におけるカラープルーフの出力色の状況を示す情報（以下、出力色比較情報と称する。）を提供するものである。
【００３２】
以下、本実施形態における色管理システムの構成について、図面を参照しながら詳細に説明する。
【００３３】
（システム構成）
図１は、当該色管理システムのシステム構成を示す機能ブロック図である。管理サーバ１は、専用通信回線やインターネット等のネットワークＮにより、遠隔地にある複数の拠点毎に設置された端末装置２（図では、２ａ、２ｂ、２ｃ）と接続されている。さらに、各端末装置２には、それぞれの拠点に１ないし複数設置された図示しない出力装置から出力されるカラープルーフの色彩や濃度を測定するための測定手段としての測色計３（図では、３ａ、３ｂ、３ｃ）が接続されている。
【００３４】
ここで、複数の拠点は、例えば、印刷会社、印刷会社の外注、顧客などであり、出力されるカラープルーフは、内校、初校、二校、三校などの校正に用いるカラープルーフの他、顧客が注文時に印刷会社に提出する色見本、印刷の見本となる印刷見本などを含む。また、色見本、内校、初校、二校、三校、印刷見本などはカラープルーフの出力された順番を示すことになる。
【００３５】
尚、端末装置２、測色計３は図１の３台に限らず任意の個数が配置されて良い。また、図示しない出力装置や測色計３ａ〜３ｃは、互いに異なる製品や機種であっても良い。また、出力装置には、ＤＤＣＰ、電子写真プリンタ、インクジェットプリンタ、平台校正機などを用いることができる。
【００３６】
端末装置２は、いわゆる、コンピュータ端末であって、キーボードやマウス等の入力手段と、ＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）などの表示手段と、コンピュータを含む装置本体と、を備えている。また、端末装置２は、情報の送受信を行う通信手段としての機能と、通信手段及びネットワークＮを介して、管理サーバ１に画面情報を送信するように要求し、管理サーバ１から受け付ける画面情報に基づいてＣＲＴやＬＣＤなどの表示手段で表示を行うとともに、キーボードやマウス等の入力手段での入力を管理サーバ１に送信するウェブブラウザ機能と備え、このウェブブラウザ機能を用いて、測色計３で測定するカラープルーフの色彩や濃度などを示す測定値と測定したカラープルーフを示す測定対象名とを管理サーバ１に送信する測定値送信手段としての機能を実現し、また、管理サーバ１から送信される出力色比較情報を表示手段で表示する。
【００３７】
管理サーバ１は、いわゆる、コンピュータ端末であって、キーボードやマウス等の入力手段と、ＣＲＴやＬＣＤなどの表示手段と、サーバを含む装置本体と、を備えている。また、管理サーバ１は、ネットワークＮを介して情報の送受信を行う通信手段としての機能を有する通信部１１を備え、さらに。ネットワークＮ及び通信部１１を介して、端末装置２から送信される測定値と測定対象名とを関連付けて記憶する記憶手段としての機能を有する測定値記憶手段１２を有する。また、注文に係る測定値を抽出する測定値抽出手段１３と、抽出された測定値に基づいて出力色比較情報を作成する測定値処理手段１４とを備える。さらに、作成した情報を端末装置２の表示手段で閲覧可能とする画面情報にする生成手段１５を有する。生成された画面情報は、通信部１１及びネットワークＮを介して端末装置２に送信される。また、測定値抽出手段１３、測定値処理手段１４及び生成手段１５で本発明の情報作成手段を構成する。
【００３８】
以上のような構成により、各端末装置２からの要求に基づいて、各注文におけるカラープルーフの出力色比較情報の提供が可能となる（手順は後述）。
【００３９】
（色管理方法）
次に、当該色管理システムにおいて行われる色管理方法について説明する。
【００４０】
（カラープルーフの測定）
まず、出力装置から出力されるカラープルーフの色彩や濃度の測定について説明する。ただし、本実施の形態では、複数の色を含むカラーパッチＰを出力して、カラーパッチの各色について濃度、具体的には、Ｄｃ（シアン濃度）、Ｄｍ（マゼンタ濃度）、Ｄｙ（イエロー濃度）、Ｄｖ（ビジュアル濃度）と、表色系の値、具体的にはＣＩＥ  Ｌ＊ａ＊ｂ＊表色系におけるＬ＊ａ＊ｂ＊値とを測定し、後述の比較に用いる。言うまでも無いが、カラープルーフの色彩や濃度を示すものであれば、ＲＧＢ濃度や、表色系の値としてＸＹＺ表色系におけるＸ、Ｙ、Ｚの三刺激値等であってもよい。
【００４１】
まず、上述したカラーパッチＰの構成の一例について説明する。カラーパッチＰは、図２に示すように、例えば、左から説明のために付した番号順に、Ｃ１００％、Ｍ１００％、Ｙ１００％、Ｋ１００％、ＣＭＹ１００％、ＭＹ１００％、ＣＹ１００％、ＣＭ１００％、Ｗ（白地）、Ｃ５０％、Ｍ５０％、Ｙ５０％、Ｋ５０％、ＣＭＹ１０％、ＣＭＹ２０％、ＣＭＹ４０％、ＣＭＹ７０％の１７色が一列に配置されている。また、後述の測定画面２１を用いての測定時には、付した数字の順番で測定することになる。本例では、カラーパッチＰを１７色としたが、比較に用いる色少なくとも１色があればよい。また、本例では、濃度及び表色系の値の双方を測定するようにしたが、濃度または表色系の値のいずれか一方であってもよく、後述の出力色比較情報は、濃度に基づくもの、または、表色系の値に基づくものが作成されることになる。
【００４２】
また、このカラーパッチＰは、図３に示すように、注文された印刷の印刷内容の周りに配置し、カラープルーフに付して出力する。図３（ａ）には、１つのカラーパッチＰを付した例を、図３（ｂ）には、複数のカラーパッチＰを付した例を示した。また、注文の印刷内容のカラープルーフと、カラーパッチＰを別々に出力してもよいが、本例のようにカラープルーフに付して出力したカラーパッチＰを測定することにより、まさにカラープルーフの出力色としての測定データが容易に得られる。
【００４３】
次に、カラーパッチＰの測定手順の一例について図を用いて説明する。図４は、カラーパッチＰの測定及び記憶手順を示すフローチャートである。以下、図３（ａ）に示すような１つのカラーパッチＰを測定する例を示し、以下に説明は省略するが図３（ｂ）に示すような複数のカラーパッチＰを測定し各色についての平均値を用いてもよい。
【００４４】
図４によれば、作業者は、端末装置２のキーボードやマウス等の入力手段を操作して、図５に示す測定画面２１を表示手段に表示させる（ステップＳ１０１、以下「ステップＳ１０１」は「Ｓ１０１」のように省略して表す。他のステップも同様。）。そして、作業者のカラーパッチＰの測定及び測定対象名の入力により、カラーパッチＰの測定値及び測定対象名を取得する（Ｓ１０２）。
【００４５】
具体的には、作業者が、マウス等によりカーソルを移動させて、測定キー２４をクリックすると測定値の待ち受け状態となり、作業者が、測色計３でカラーパッチＰを番号順に測定していくと、測定値を測定値表示欄２２に番号順に表示する。停止キー２５は、測定を中止するためのものである。次に、作業者は、カーソルを測定対象入力欄２３に移動させ、キーボード等を用いて、測定対象名を入力する。例えば、△△カタログの注文の初校である場合には、そのカラープルーフの注文名と出力された順番が分かるように「△△カタログ，初校」と入力する。従って、測定対象名は、注文名と順番を含む。さらに、用いた出力装置を出力装置入力欄２８に入力する。
【００４６】
上記測定及び入力が済み作業者が送信キー２６をクリックすると（Ｓ１０３、Ｙ）、測定値表示欄２２の測定値及びコメント欄２３の測定対象名は、それぞれ測定データ及び測定対象情報として、測定データ、定対象情報、さらに送信日時情報、拠点を示す送信元情報が管理サーバ１に送信される（Ｓ１０４）。また、注文名は注文情報、順番は順番情報とされて測定対象情報に含まれる。
【００４７】
管理サーバ１は、測定データ及び測定対象情報等を受信すると（Ｓ１０５、Ｙ）、測定データと測定対象情報とを対応させ、さらに送信日時情報が示す日時、送信元情報が示す拠点、出力装置を対応させて、図６に示すような構造で測定データ記憶手段１２に記憶する。
【００４８】
上述の説明では、各カラープルーフの測定は、出力した拠点で行い管理サーバ１に送信するようにしたが、例えば、一箇所の拠点（例えば、印刷会社）で測定を行い管理サーバ１に送信、または、管理サーバ１を管理する管理者が各カラープルーフの測定を行い、管理サーバ１に記憶させるようにしてもよい。
【００４９】
（出力色比較情報の提供の手順）
さらに、出力色比較情報提供の手順について説明する。本実施の形態の特徴は各注文についての出力色比較情報を提供することである。例えば、この出力色比較情報は、（１）端末装置２からの要求があったときに行う、また、（２）上述の測定値の送信を行ったときに行うなどというようにする。
【００５０】
（１）の端末装置２からの要求があったときに行う例の概略を図７のフローチャートを用いて説明する。例えば、端末装置２に図８に示すような要求画面３１を表示させる（Ｓ２０１）。作業者が要求画面３１の注文名が入力可能な注文名入力欄３２に注文名を入力することで注文名を取得する（Ｓ２０２）。送信キー３３をクリックすると（Ｓ２０３、Ｙ）、出力色比較情報提供要求が送信され（Ｓ２０４）、管理サーバ１は、出力色比較情報提供要求を受けて（Ｓ２０５、Ｙ）、入力された注文名についての出力色比較情報を作成し（出力色比較情報の作成の詳細は後述する）（Ｓ２０６）、出力色比較情報を閲覧可能にする画面情報を生成し端末装置２に送信する（Ｓ２０７）。端末装置２は、画面情報を受けて（Ｓ２０８、Ｙ）、表示手段に出力色比較情報を表示する（Ｓ２０９）。
【００５１】
上記説明では、出力色比較情報を画面情報で端末装置２に送信するようにしたが、例えば、電子メールで送信し、端末装置２で閲覧可能にしてもよい。この場合には、生成手段１５は、出力色比較情報を含むメールに送信対象となる端末装置２のメールアドレスを付し、通信部１１で電子メールを送信すればよい。
【００５２】
（２）の測定値の送信を行ったときに行う例の概略を図９のフローチャートを用いて説明する。例えば、まず、上述の（色管理方法）で述べたようにカラーパッチＰの測定を行い測定対象名を入力して、同様に管理サーバ１に送信する（Ｓ３０１乃至Ｓ３０４）。管理サーバ１は、測定データ及び測定対象情報等を同様に測定データ記憶手段１２に記憶する（Ｓ３０５、Ｓ３０６）。そして、入力された測定対象名に含まれる注文名についての出力色比較情報を作成し（出力色比較情報の作成の詳細は後述する）（Ｓ３０７）、出力色比較情報を表示するための画面情報を生成し端末装置２に送信する（Ｓ３０８）。端末装置２は、画面情報を受けて（Ｓ３０９、Ｙ）、表示手段に出力色比較情報を表示する（Ｓ３１０）。上記説明では、出力色比較情報を画面情報で端末装置２に送信するようにしたが、例えば、上述の電子メールで送信し、端末装置２で閲覧可能にしてもよい。
【００５３】
（出力色比較情報の生成の手順）
さらに、図１０を用いて出力色比較情報の作成手順について説明する。図１０に示すように、管理サーバ１の測定値抽出手段１３は、測定値記憶手段１２を検索して端末装置２から送信された注文名を測定対象名に含む測定値を抽出する。例えば、注文名が「△△カタログ」で、測定値抽出手段１３に「△△カタログ」の「初校」「内校」「二校」「三校」「印刷見本」の測定値が記憶されている場合には、これらを抽出する（Ｓ４０１）。
【００５４】
そして、測定値処理手段１４で、その抽出した測定値に基づいて「初校」「内校」「二校」「三校」「印刷見本」ごとに示す出力色比較情報を作成する（Ｓ４０２）。ここで、作成する出力色比較情報の例を図１１乃至図１５に示す。
【００５５】
図１１は、「濃度」を出力色比較情報として表示するグラフの一例である。このグラフは、例として「△△カタログ」のＣ、Ｍ、Ｙ、Ｋの各ベタ（１００％）のＤｖ濃度を「初校」「内校」「二校」「三校」「印刷見本」ごとに示したものである。また、表示形式はこれに限らず、「初校」「内校」「二校」「三校」「印刷見本」のいずれかを基準として、その基準の濃度との差で表示するなどしてもよい。これにより、各注文におけるカラープルーフの出力色を濃度で比較することができる。また、濃度計は一般的な測色計であるから、容易に実現可能である。
【００５６】
図１２は、「ＣＩＥ  Ｌ＊ａ＊ｂ＊表色系におけるＬ＊ａ＊ｂ＊値」を出力色比較情報として表示するグラフの一例である。このグラフは、例として「△△カタログ」の各出力色のＬ＊ａ＊ｂ＊値と、予めそれぞれの出力色について定めた基準としてのＬ＊ａ＊ｂ＊値との色差ΔＥの平均値及び最大値を、「初校」「内校」「二校」「三校」「印刷見本」ごとに示したものである。またΔＥは、各値の差をΔＬ＊、Δａ＊、Δｂ＊とし、
ΔＥ＝{（ΔＬ＊）＾２＋（Δａ＊）＾２＋（Δｂ＊）＾２}＾（１／２）、
ただし、ａ＾ｂは、ａのｂ乗を示す（以下同じ）、
で求めることができる。また、表示形式はこれに限らず、各出力色の色差ΔＥを表示してもよいし、「初校」「内校」「二校」「三校」「印刷見本」のいずれかを基準として、その基準の色差で表示するなどしてもよい。また、色差に限らず、ａ＊ｂ＊値をａ＊ｂ＊平面上に表示して比較してもよい。これにより、各注文におけるカラープルーフの出力色を色差または表色系の値で比較することができ、色のずれなどを容易に把握できる。
【００５７】
図１３は、ドットの大きさの変化量を示す「ドットゲイン値」を出力色比較情報として表示するグラフの一例である。このグラフは、例として「△△カタログ」のＣ、Ｍ、Ｙ、Ｋ各５０％のドットゲイン値を、「初校」「内校」「二校」「三校」「印刷見本」ごとに示したものである。またドットゲイン値は、以下のように求める。Ｃ、Ｍ、Ｙ、Ｋ各５０％のドットゲイン値を例に説明する。
【００５８】
ここで、Ｗ（白地）のＤｃ、Ｄｍ、Ｄｙ、ＤｖをＷｃ、Ｗｍ、Ｗｙ、Ｗｖ、
Ｃベタ（Ｃ１００％）のＤｃ、Ｄｍ、Ｄｙ、ＤｖをＣｃ、Ｃｍ、Ｃｙ、Ｃｖ、
Ｍベタ（Ｍ１００％）のＤｃ、Ｄｍ、Ｄｙ、ＤｖをＭｃ、Ｍｍ、Ｍｙ、Ｍｖ、
Ｙベタ（Ｙ１００％）のＤｃ、Ｄｍ、Ｄｙ、ＤｖをＹｃ、Ｙｍ、Ｙｙ、Ｙｖ、
Ｋベタ（Ｋ１００％）のＤｃ、Ｄｍ、Ｄｙ、ＤｖをＫｃ、Ｋｍ、Ｋｙ、Ｋｖ、
Ｃ５０％のＤｃ、Ｄｍ、Ｄｙ、ＤｖをＣ５０ｃ、Ｃ５０ｍ、Ｃ５０ｙ、Ｃ５０ｖ、
Ｍ５０％のＤｃ、Ｄｍ、Ｄｙ、ＤｖをＭ５０ｃ、Ｍ５０ｍ、Ｍ５０ｙ、Ｍ５０ｖ、
Ｙ５０％のＤｃ、Ｄｍ、Ｄｙ、ＤｖをＹ５０ｃ、Ｙ５０ｍ、Ｙ５０ｙ、Ｙ５０ｖ、
Ｋ５０％のＤｃ、Ｄｍ、Ｄｙ、ＤｖをＫ５０ｃ、Ｋ５０ｍ、Ｋ５０ｙ、Ｋ５０ｖ、
とする。
【００５９】
Ｃ５０％のドットゲイン値は、
Ｄ１＝Ｃｃ−Ｗｃ、Ｄ２＝Ｃ５０ｃ−Ｗｃとして、Ｃ５０％網点％を
Ｃ５０％網点％＝１００＊（１−１０＾（−Ｄ２））／（１−１０＾（−Ｄ１））
と求めて、
Ｃ５０％のドットゲイン値＝Ｃ５０％網点％−５０
で求めることができる。
【００６０】
Ｍ５０％のドットゲイン値は、
Ｄ１＝Ｍｍ−Ｗｍ，Ｄ２＝Ｍ５０ｍ−Ｗｍとして、Ｍ５０％網点％を
Ｍ５０％網点％＝１００＊（１−１０＾（−Ｄ２））／（１−１０＾（−Ｄ１））
と求めて、
Ｍ５０％のドットゲイン値＝Ｍ５０％網点％−５０
で求めることができる。
【００６１】
Ｙ５０％のドットゲイン値は、
Ｄ１＝Ｙｙ−Ｗｙ，Ｄ２＝Ｙ５０ｙ−Ｗｙとして、Ｙ５０％網点％を
Ｙ５０％網点％＝１００＊（１−１０＾（−Ｄ２））／（１−１０＾（−Ｄ１））
と求めて、
Ｙ５０％のドットゲイン値＝Ｙ５０％網点％−５０
で求めることができる。
【００６２】
Ｋ５０％のドットゲイン値は、
Ｄ１＝Ｋｖ−Ｗｖ，Ｄ２＝Ｋ５０ｖ−Ｗｖとして、Ｋ５０％網点％を
Ｋ５０％網点％＝１００＊（１−１０＾（−Ｄ２））／（１−１０＾（−Ｄ１））
と求めて、
Ｋ５０％のドットゲイン値＝Ｋ５０％網点％−５０
で求めることができる。
【００６３】
また、表示形式はこれに限らず、「初校」「内校」「二校」「三校」「印刷見本」のいずれかを基準として、その基準のドットゲイン値との差で表示するなどしてもよい。これにより、各注文におけるカラープルーフの出力色をドットゲイン値で比較することができ、中間調の違いを容易に把握できる。
【００６４】
図１４は、先に印刷されるインキの上に、後から印刷されるインキがどれだけのるかを示す「トラッピング率」を出力色比較情報として表示するグラフの一例である。このグラフは、例として印刷の刷り順を、Ｙ→Ｍ→Ｃ→Ｋとし、「△△カタログ」のＭの上のＣのトラッピング率Ｃ／Ｍ、Ｙの上のＣのトラッピング率Ｃ／Ｙ、Ｙの上のＭのトラッピング率Ｍ／Ｙを、「初校」「内校」「二校」「三校」「印刷見本」ごとに示したものである。また各トラッピング率は、以下のように求める。
【００６５】
Ｍの上のＣのトラッピング率Ｃ／Ｍは、
Ｂ（ＣＭ１００％）のマゼンタ濃度をＢｍ、Ｃベタ（Ｃ１００％）のマゼンタ濃度をＣｍ、Ｍベタ（Ｃ１００％）のマゼンタ濃度をＭｍとして、
トラッピング率Ｃ／Ｍ＝（Ｂｍ−Ｃｍ）／Ｍｍ×１００
と求めることができる。
【００６６】
Ｙの上のＣのトラッピング率Ｃ／Ｙは、
Ｇ（ＣＹ１００％）のイエロー濃度をＧｙ、Ｃベタ（Ｃ１００％）のイエロー濃度をＣｙ、Ｙベタ（Ｃ１００％）のイエロー濃度をＹｙとして、
トラッピング率Ｃ／Ｙ＝（Ｇｙ−Ｃｙ）／Ｙｙ×１００
と求めることができる。
【００６７】
Ｙの上のＭのトラッピング率Ｍ／Ｙは、
Ｒ（ＭＹ１００％）のイエロー濃度をＲｙ、Ｍベタ（Ｍ１００％）のイエロー濃度をＭｙ、Ｙベタ（Ｃ１００％）のイエロー濃度をＹｙとして、
トラッピング率Ｍ／Ｙ＝（Ｒｙ−Ｍｙ）／Ｙｙ×１００
と求めることができる。
【００６８】
また、表示形式はこれに限らず、「初校」「内校」「二校」「三校」「印刷見本」のいずれかを基準として、その基準のトラッピング率との差で表示するなどしてもよい。これにより、各注文におけるカラープルーフの出力色のトラッピング率を比較することができ、重ねられた場合の違いを容易に把握できる。
【００６９】
図１５は、出力色の状況をＯＫまたはＮＧで出力色比較情報を表示する表の一例である。このグラフは、例として出力色についてＯＫまたはＮＧの判定をし、その判定結果を「初校」「内校」「二校」「三校」「印刷見本」ごとに示したものである。判定は、濃度、色差、ドットゲイン値またはトラッピング率について予め定めた判定基準、例えば、「基準色との色差の平均ΔＥが３以下」、「基準色との濃度差±０．１以内」等と比較し、各色について判定基準を満たすか否か判定して、ＮＧの出力色があれば判定「×」と図１５の表のように示す。このようにすれば、どのカラープルーフが基準内か、或いは、基準外か一目で分かる。
【００７０】
また、作成・提供する出力色比較情報は、上述した出力色比較情報のうちの１つまたは複数とする。或いは、図示しないが要求画面３１で出力色比較情報を選択できるようにして、選択された出力色比較情報を生成・提供するようにしてもよい。
【図面の簡単な説明】
【００７１】
【図１】本発明に係る色管理システムのシステム構成を示す機能ブロック図である。
【図２】カラーパッチの構成を示す説明図である。
【図３】図２に示すカラーパッチを付したカラープルーフの例を示す説明図である。
【図４】本発明に係るカラーパッチの測定及び記憶手順を示すフローチャートである。
【図５】色管理システムの端末装置の表示手段に表示される画面の一例を示す図である。
【図６】記憶手段に記憶する測定データ及び測定対象情報を説明するための説明図である。
【図７】本発明に係る出力色比較情報提供の手順を示すフローチャートである。
【図８】色管理システムの端末装置の表示手段に表示される画面の一例を示す図である。
【図９】本発明に係る出力色比較情報提供の手順を示すフローチャートである。
【図１０】本発明に係る出力色比較情報の作成手順を示すフローチャートである。
【図１１】本発明に係る色管理システムで作成する出力色比較情報の一例を示す図である。
【図１２】本発明に係る色管理システムで作成する出力色比較情報の一例を示す図である。
【図１３】本発明に係る色管理システムで作成する出力色比較情報の一例を示す図である。
【図１４】本発明に係る色管理システムで作成する出力色比較情報の一例を示す図である。
【図１５】本発明に係る色管理システムで作成する出力色比較情報の一例を示す図である。
【符号の説明】
【００７２】
１  管理サーバ
１１  通信部
１２  測定値記憶手段
１３  測定値抽出手段
１４  測定値処理手段
１５  生成手段
２  端末装置
３  測色計
Ｎ  ネットワーク
【図１】
2005339185.tif 000003
【図２】
2005339185.tif 000004
【図３】
2005339185.tif 000005
【図４】
2005339185.tif 000006
【図５】
2005339185.tif 000007
【図６】
2005339185.tif 000008
【図７】
2005339185.tif 000009
【図８】
2005339185.tif 000010
【図９】
2005339185.tif 000011
【図１０】
2005339185.tif 000012
【図１１】
2005339185.tif 000013
【図１２】
2005339185.tif 000014
【図１３】
2005339185.tif 000015
【図１４】
2005339185.tif 000016
【図１５】
2005339185.tif 000017